(57)【要約】【課題】移動端末が局所通信網から広域通信網へハンドオーバする際に、移動交換局における課金処理を考慮して、異なる通信切替シーケンスを用いる再発呼方法等を提供する。【解決手段】移動端末が、局所通信網を介して制御装置を経由して通信相手端末との間で呼接続し、当該移動端末自身の呼接続開始状態「発呼」又は「着呼」を記憶する。次に、移動端末が、局所通信網からセルラ広域通信網へ切り替える際に、セルラ広域通信網を介して位置情報管理装置へ位置更新を実行し、呼接続開始状態「着呼」である場合、局所通信網を介して制御装置へ発呼要求を送信する。次に、制御装置が、移動端末から発呼要求を受信した際に、セルラ広域通信網を介して移動端末へ向けて、通信相手端末を発呼元として発呼し、移動交換局が通信相手端末へ課金する。そして、制御装置が、通信相手端末との間の呼接続と、セルラ広域通信網を介した移動端末との間の呼接続とを中継する。【選択図】図２
2010041341.tif 000002
【特許請求の範囲】
【請求項１】
セルラ広域通信網に接続する通信インタフェースと、局所通信網に接続する通信インタフェースとを有する移動端末と、
前記セルラ広域通信網の移動交換局及び位置情報管理装置と通信すると共に、前記局所通信網に接続された前記移動端末と通信する制御装置と
を有し、前記移動端末が、前記局所通信網から前記セルラ広域通信網へ切り替える再発呼方法であって、
前記移動端末が、前記局所通信網から前記制御装置を経由して通信相手端末との間で呼接続し、当該移動端末自身の呼接続開始状態「発呼」又は「着呼」を記憶する第１のステップと、
前記移動端末が、前記局所通信網から前記セルラ広域通信網へ切り替える際に、前記セルラ広域通信網を介して前記位置情報管理装置へ位置更新をする第２のステップと、
前記移動端末が、前記呼接続開始状態「着呼」である場合、前記局所通信網を介して前記制御装置へ発呼要求を送信する第３のステップと、
前記制御装置が、前記移動端末から発呼要求を受信した際に、前記移動交換局を経由して、前記セルラ広域通信網を介して前記移動端末へ向けて、前記通信相手端末を発呼元として発呼し、前記移動交換局が前記通信相手端末へ課金する第４のステップと、
前記移動端末が着呼した後、前記制御装置が、前記通信相手端末との間の呼接続と、前記セルラ広域通信網を介した前記移動端末との間の呼接続とを中継する第５のステップと
を有することを特徴とする再発呼方法。
【請求項２】
第１のステップについて、前記制御装置が、前記呼接続における発呼端末識別子及び着呼端末識別子の組を記憶し、
第４のステップについて、前記制御装置は、前記移動端末から受信した発呼要求に基づく発呼端末識別子及び着呼端末識別子が、予め記憶した発呼端末識別子及び着呼端末識別子の組と一致するか否かを判定し、一致する場合にのみ、前記発呼端末識別子として予め記憶された前記通信相手端末を発呼元として、前記セルラ広域通信網を介して前記移動端末へ向けて発呼することを特徴とする請求項１に記載の再発呼方法。
【請求項３】
第４のステップについて、前記制御装置は、前記セルラ広域通信網を介して前記移動交換局からリングバックトーンを受信した際に、前記移動端末へ、発呼応答を返信することを特徴とする請求項１又は２に記載の再発呼方法。
【請求項４】
第３のステップについて、前記移動端末が、前記呼接続開始状態「発呼」である場合、前記通信相手端末を着呼先として、前記セルラ広域通信網を介して前記制御装置へ向けて発呼し、
第４のステップについて、前記セルラ広域通信網の前記移動交換局からの着呼を前記制御装置が受け付け、前記移動交換局が前記移動端末へ課金する
ことを特徴とする請求項１に記載の再発呼方法。
【請求項５】
第１のステップについて、前記制御装置が、前記呼接続における発呼端末識別子及び着呼端末識別子の組を記憶し、
第４のステップについて、前記制御装置が、前記移動交換局からページング要求を受信し、該ページング要求に含まれる前記着呼端末識別子と一致する着呼端末識別子が記憶されているか否かを判定し、記憶されている場合、ページング応答を前記移動交換局へ返信し、前記移動交換局から割当要求を受信し、該割当要求に含まれる前記発呼端末識別子と、先に判定した前記着呼端末識別子に対応する既に記憶された発呼端末識別子とが一致するか否かを判定し、記憶されている場合、割当完了を返信することを特徴とする請求項４に記載の再発呼方法。
【請求項６】
前記制御装置は、ＩＰ広域通信網を経由して前記局所通信網に接続されるＢＳＣ(Base Station Controller)にＳＩＰ(Session Initiation Protocol)サーバ機能を備えたゲートウェイ、又は、前記局所通信網に接続され且つ前記移動交換局及び前記位置情報管理装置にＩＰ広域通信網を経由して接続されるＩＰ−ＰＢＸ(Internet Protocol - Private Branch eXchange)若しくはフェムトゲートウェイであり、
前記セルラ広域通信網は、セルラーシステム又はＷｉＭＡＸシステムであり、
前記制御装置に対するＩＰ呼制御プロトコルは、ＳＩＰ、又はＩＰパケットにカプセル化されたセルラ広域通信プロトコルである
ことを特徴とする請求項１から５のいずれか１項に記載の再発呼方法。
【請求項７】
前記移動端末は、発呼動作又は着呼動作をした場合であっても、利用者が操作するユーザインタフェースに対して発呼動作又は着呼動作を表す鳴動を実行しないことを特徴とする請求項１から６のいずれか１項に記載の再発呼方法。
【請求項８】
セルラ広域通信網の移動交換局及び位置情報管理装置と通信する制御装置と通信可能であって、前記セルラ広域通信網に接続するセルラ広域通信インタフェースと、前記局所通信網に接続する局所通信インタフェースとを有し、前記局所通信網から前記セルラ広域通信網へ切り替える移動端末であって、
前記局所通信網を介して前記制御装置を経由して通信相手端末との間で呼接続した際に、当該移動端末自身の呼接続開始状態「発呼」又は「着呼」を記憶する呼接続開始状態記憶手段と、
前記局所通信網から前記セルラ広域通信網へ切り替える際に、前記セルラ広域通信網を介して前記位置情報管理装置へ位置更新をする位置更新手段と、
前記局所通信網から前記セルラ広域通信網へ切り替える際に、前記呼接続開始状態「着呼」である場合、前記局所通信網を介して前記制御装置へ発呼要求を送信し、前記呼接続開始状態「発呼」である場合、前記セルラ広域通信網を介して前記通信相手端末へ向けて発呼する発呼手段と
を有することを特徴とする移動端末。
【請求項９】
請求項８に記載の移動端末と通信可能な前記制御装置であって、
セルラ通信インタフェース又はＩＰ通信インタフェースから、前記移動端末からの着呼を受け付ける着呼受付手段と、
前記着呼受付手段が、前記ＩＰ通信インタフェースから、前記移動端末からの着呼を受け付けた場合、前記セルラ通信インタフェースから、前記移動交換局を経由して前記セルラ広域通信網を介して前記移動端末へ向けて発呼する中継発呼手段と、
前記通信相手端末との間の呼接続と、前記セルラ広域通信網を介した前記移動端末との間の呼接続とを中継する呼接続中継手段と
を有することを特徴とする制御装置。
【請求項１０】
前記呼接続における発呼端末識別子及び着呼端末識別子の組を記憶する識別子記憶手段と、
前記移動端末から受信した発呼要求に基づく発呼端末識別子及び着呼端末識別子が、予め記憶した発呼端末識別子及び着呼端末識別子の組と一致するか否かを判定する識別子判定手段と、
を更に有し、
（１）前記着呼受付手段が、前記ＩＰ通信インタフェースから、前記移動端末からの着呼を受け付けた場合、
前記中継発呼手段は、前記識別子判定手段によって両識別子が一致する場合にのみ、前記セルラ通信インタフェースから、前記移動交換局を経由して前記セルラ広域通信網を介して前記移動端末へ向けて発呼し、
（２）前記着呼受付手段が、前記セルラ通信インタフェースから、前記移動端末からの着呼を受け付けた場合、
前記セルラ広域通信網を介して前記移動交換局から、ページング要求を受信し、該ページング要求に含まれる前記着呼端末識別子と一致する着呼端末識別子が記憶されているか否かを判定し、前記識別子が記憶されている場合、ページング応答を、前記セルラ広域通信網を介して前記移動交換局へ返信し、前記セルラ広域通信網を介して前記移動交換局から、割当要求を受信し、前記割当要求に含まれる前記発呼端末識別子と、先に判定した前記着呼端末識別子に対応する既に記憶された発呼端末識別子とが一致するか否かを判定し、記憶されている場合、割当完了を返信するページング／割当処理手段を更に有する
ことを特徴とする請求項９に記載の制御装置。
【請求項１１】
前記中継発呼手段は、前記セルラ広域通信網を介して前記移動交換局からリングバックトーンを受信した際に、前記移動端末へ、発呼応答を返信することを特徴とする請求項９又は１０に記載の制御装置。
【請求項１２】
セルラ広域通信網の移動交換局及び位置情報管理装置と通信する制御装置と通信可能であって、前記セルラ広域通信網に接続する通信インタフェースと、前記局所通信網に接続する通信インタフェースとを有し、前記局所通信網から前記セルラ広域通信網へ切り替える移動端末に搭載されたコンピュータを機能させるプログラムであって、
前記局所通信網を介して前記制御装置を経由して通信相手端末との間で呼接続した際に、当該移動端末自身の呼接続開始状態「発呼」又は「着呼」を記憶する呼接続開始状態記憶手段と、
前記局所通信網から前記セルラ広域通信網へ切り替える際に、前記セルラ広域通信網を介して前記位置情報管理装置へ位置更新をする位置更新手段と、
前記局所通信網から前記セルラ広域通信網へ切り替える際に、前記呼接続開始状態「着呼」である場合、前記局所通信網を介して前記制御装置へ発呼要求を送信し、前記呼接続開始状態「発呼」である場合、前記セルラ広域通信網を介して前記通信相手端末へ向けて発呼する発呼手段と
してコンピュータを機能させることを特徴とする移動端末用のプログラム。
【請求項１３】
請求項８に記載の移動端末と通信可能な前記制御装置に搭載されたコンピュータを機能させるプログラムであって、
セルラ通信インタフェース又はＩＰ通信インタフェースから、前記移動端末からの着呼を受け付ける着呼受付手段と、
前記着呼受付手段が、前記ＩＰ通信インタフェースから、前記移動端末からの着呼を受け付けた場合、前記セルラ通信インタフェースから、前記移動交換局を経由して前記セルラ広域通信網を介して前記移動端末へ向けて発呼する中継発呼手段と、
前記通信相手端末との間の呼接続と、前記セルラ広域通信網を介した前記移動端末との間の呼接続とを中継する呼接続中継手段と
してコンピュータを機能させることを特徴とする制御装置用のプログラム。
【発明の詳細な説明】
【技術分野】
【０００１】
本発明は、局所通信網からセルラ広域通信網を切り替える再発呼方法、移動端末、制御装置及びプログラムに関する。
【背景技術】
【０００２】
近年、携帯電話機に、局所通信網（例えば無線／有線ＬＡＮ(Local Area Network)又はBluetooth）に接続する通信インタフェースを備えたものが普及してきている。このような携帯電話機は、屋外ではセルラ広域通信網に接続すると共に、屋内では局所通信網を介してＩＰ(Internet Protocol)広域通信網に接続することもできる。
【０００３】
ここで、「セルラ広域通信網」は、セルラ通信方式に基づく回線交換技術を用いて音声サービスを提供する移動体通信網を意味する。また、「ＩＰ広域通信網」は、ＩＰ技術を用いて音声／データサービスを提供する移動体通信網を意味する。更に「局所通信網」は、無線／有線ＬＡＮやBluetooth等の高速通信網を意味する。尚、「局所通信網」は、フェムトセル(Femtocell)のような数ｍ程度の通信網であってもよい。フェムトセルは、家庭等の小規模オフィスに設置される超小型基地局によって実現され、その超小型基地局には、家庭内の固定回線（電話回線、光ファイバ、ＣＡＴＶ用ケーブル等）などと接続される。フェムトセルの電波は、セルラ広域通信網の基地局と同様である。即ち、携帯電話機の場合、セルラ広域通信網の基地局と、フェムトセルの超小型基地局とは同じに見える。
【０００４】
２つの通信インタフェースを備えた移動端末を用いて、構内内線を提供する技術がある（例えば非特許文献１参照）。この技術によれば、屋外ではセルラ広域通信網を用いて外線通話し、会社等の屋内では局所通信網を用いて内線通話をする。内線時にはシグナリング手段としてＳＩＰ(Session Initiation Protocol)を用いる。内線通話では、セルラ広域通信網を経由しないので、セルラ広域通信網の移動交換局における課金機能を動作させることができない。従って、局所通信網を用いた内線通話時における通話料は、無料又は定額となる場合が多い。
【０００５】
通話における課金管理は、セルラ広域通信網における移動交換局が実行する。一般に、回線交換機能を有する移動交換局が、所定の規則に従って（例えば発呼側端末に）、課金する。
【０００６】
また、屋外ではセルラ広域通信網を用いて通話し、屋内ではセルラ広域通信網で転送されるデータをＩＰカプセル化することで、局所通信網を介して通話する技術もある（例えば非特許文献２参照）。この技術によれば、局所通信網とセルラ広域通信網との間に、ＩＰカプセル化処理を実行する制御装置を備える必要がある。また、この技術によれば、セルラ広域通信網と局所通信網との間のハンドオーバを実現することができる（例えば特許文献５参照）。
【０００７】
更に、ＩＰ技術を用いた固定回線を介して、セルラ広域通信網に設置された制御装置に、局所通信網を接続する技術もある。この技術によれば、屋外ではセルラ広域通信網を用いて通話し、屋内ではＳＩＰを呼制御プロトコルとして用いることもできる。
【０００８】
一方で、所定時間で通話が自動切断されるセルラ広域通信網（例えばＰＨＳ(Personal
HandyPhone System)について、自動切断された際に、発呼端末から自動的に着呼端末へ再発呼する技術もある（例えば特許文献３参照）。また、ゲートウェイが、パスの状態を保存し、再接続後にパス再割り付けを実施する技術もある（例えば特許文献４参照）。
【０００９】
図１は、従来技術におけるシステム構成図である。
【００１０】
図１のシステムによれば、移動端末ＭＴ(Mobile Terminal)１と通信相手端末３とが、広域通信網を介して呼接続をしている。移動端末１は、セルラ広域通信網に接続するセルラ広域通信インタフェースと、局所通信網に接続する局所通信インタフェースとを有する。移動端末１は、屋外では基地局４１を介してセルラ広域通信網４に接続し、屋内ではルータ７１及びアクセスポイント７２が接続された局所通信網７を介して、ＩＰ広域通信網５に接続することができる。
【００１１】
セルラ広域通信網４は、例えば携帯電話網であるセルラＲＡＮ(Radio access network)であり、複数の基地局ＢＳ(Base Station)４１が接続されている。基地局４１は、無線リンクを介して、移動端末１と通信する。セルラ広域通信網４は、例えばＣＤＭＡ ２０００ １ｘのシステムで構築されている。
【００１２】
ＩＰ広域通信網５は、例えばインターネットサービスプロバイダネットワークであり、ユーザ構内に配置されたルータ７１に接続される。ＩＰ広域通信網５は、通信交換コアネットワーク６に相互接続されると共に、外部のインターネットへも接続される。
【００１３】
セルラ広域通信網４は、基地局制御装置Ｃ−ＢＳＣ(Central - Base Station Controller)６１を介して、通信交換コアネットワーク（バックボーンネットワーク）６に接続される。通信交換コアネットワーク６は、通信事業者によって運用管理される事業者網であって、例えば携帯電話網の基幹ネットワークである。通信交換コアネットワーク６は、通信呼の回線交換を実行する移動交換局ＭＳＣ(Mobile Switching Center)／位置情報管理装置６２と、加入者情報データベースＨＬＲ(Home Location Register、又はＶＬＲ(Visited Location Register))６３とを含む。移動交換局は、基地局制御装置（ＢＳＣ）同士の間で接続を交換する。
【００１４】
また、ＩＰ広域通信網５は、ＢＳＣ−ＧＷ(Base Station Controller - GateWay)２を介して、通信交換コアネットワーク６に接続する。ここで、ＢＳＣ−ＧＷは、セルラ広域通信網に対してはＢＳＣとして振る舞い、ＩＰ広域通信網に対してはＳＩＰサーバとして振る舞う「ゲートウェイ」を指す。
【００１５】
図１によれば、通信相手端末３と移動端末１との間の呼の経路が表されている。最初に、通信相手端末３は、通信交換コアネットワーク６->ＩＰ広域通信網５->局所通信網７を経由して、移動端末１へ発呼する。その後、移動端末１を所持する利用者が、通話しながら、屋外へ移動したとする。このとき、局所通信網７のアクセスポイント７２からの電波が弱くなる一方で、セルラ広域通信網４に接続される基地局４１からの電波は強くなる。そうすると、移動端末１は、一度、ＩＰ広域通信網５を介した呼接続を切断する。そして、移動端末１は、セルラ広域通信網４を介して、通信相手端末３へ発呼する。このように、ＩＰ広域通信網５とセルラ広域通信網４との間では、一般に呼接続を維持することはできない。
【００１６】
【特許文献１】特開２００５−１９２１６３号公報
【特許文献２】特開２００４−２５４２７８号公報
【特許文献３】特許２８６４３５８号公報
【特許文献４】特開平７−１５４４１３号公報
【特許文献５】特開平７−２３４６３号公報
【非特許文献１】ＫＤＤＩ株式会社、「au初の無線LANケータイ「E02SA」および無線LANケータイ内線ソリューション「OFFICEFREEDOM (オフィスフリーダム)」の販売開始について」、２００６年７月１３日、[online]、［平成２０年７月２８日検索］、インターネット＜URL：http://www.kddi.com/corporate/news_release/2006/0713a/＞
【非特許文献２】Unlicensed Mobile Access (UMA);Architecture (Stage2); R1.0.4 (2005-5-2)
【発明の開示】
【発明が解決しようとする課題】
【００１７】
非特許文献１に記載の技術によれば、移動端末が局所通信網を介して通話中に、移動端末が、局所通信網からセルラ広域通信網へ移動した場合、通話は途切れてしまう。このとき、ユーザ利便性を考慮して、移動端末が、セルラ広域通信網を介して、自動再発呼することもできる。しかしながら、課金に関しては、再発呼した側に課金される。当初、着呼側であった移動端末は、再発呼によって発呼側となり、課金対象となる。
【００１８】
また、非特許文献２及び特許文献５に記載の技術によれば、セルラ広域通信網又はＩＰ広域通信網に関係なく、全ての通話が、移動交換局における通信管理及び課金管理に基づく。しかしながら、発呼端末と着呼端末とが同一の局所通信網に接続されていても、移動交換局によって管理されるので、呼接続制御が煩雑となるだけでなく、セルラ広域通信網と同等の課金が発生するという問題がある。逆に、同一局所通信網における呼接続を無料又は定額とすると、移動交換局の利用負荷に見合った課金ではなくなる可能性が高い。
【００１９】
一方、特許文献３に記載の技術によれば、ＰＨＳのトランシーバモード（通話料無料）を用いたピアーツーピアの通信モードにおける再発呼技術であり、広域／局所通信網の利用を想定したものではない。通話料無料サービスを前提としており、課金を考慮したシステムではない。また、特許文献４に記載の技術によれば、端末の移動による広域通信網の切り替えを想定しておらず、単に再接続処理を安全かつ早くする技術に過ぎないため、課金を考慮していない。
【００２０】
このように、上述したいずれの技術も、課金を考慮したものではない。結局、通信経路の切り替えによって、課金対象が入れ替わることとなる。
【００２１】
そこで、本発明は、移動端末が局所通信網から広域通信網へハンドオーバする際に、移動交換局における課金処理を考慮して、異なる通信切替シーケンスを用いる再発呼方法、移動端末、制御装置及びプログラムを提供することを目的とする。
【課題を解決するための手段】
【００２２】
本発明によれば、セルラ広域通信網に接続する通信インタフェースと、局所通信網に接続する通信インタフェースとを有する移動端末と、
セルラ広域通信網の移動交換局及び位置情報管理装置と通信すると共に、局所通信網に接続された移動端末と通信する制御装置と
を有し、移動端末が、局所通信網からセルラ広域通信網へ切り替える再発呼方法であって、
移動端末が、局所通信網から制御装置を経由して通信相手端末との間で呼接続し、当該移動端末自身の呼接続開始状態「発呼」又は「着呼」を記憶する第１のステップと、
移動端末が、局所通信網からセルラ広域通信網へ切り替える際に、セルラ広域通信網を介して位置情報管理装置へ位置更新をする第２のステップと、
移動端末が、呼接続開始状態「着呼」である場合、局所通信網を介して制御装置へ発呼要求を送信する第３のステップと、
制御装置が、移動端末から発呼要求を受信した際に、移動交換局を経由して、セルラ広域通信網を介して移動端末へ向けて、通信相手端末を発呼元として発呼し、移動交換局が通信相手端末へ課金する第４のステップと、
移動端末が着呼した後、制御装置が、通信相手端末との間の呼接続と、セルラ広域通信網を介した移動端末との間の呼接続とを中継する第５のステップと
を有することを特徴とする。
【００２３】
本発明の再発呼方法における他の実施形態によれば、
第１のステップについて、制御装置が、呼接続における発呼端末識別子及び着呼端末識別子の組を記憶し、
第４のステップについて、制御装置は、移動端末から受信した発呼要求に基づく発呼端末識別子及び着呼端末識別子が、予め記憶した発呼端末識別子及び着呼端末識別子の組と一致するか否かを判定し、一致する場合にのみ、発呼端末識別子として予め記憶された通信相手端末を発呼元として、セルラ広域通信網を介して移動端末へ向けて発呼することも好ましい。
【００２４】
本発明の再発呼方法における他の実施形態によれば、
第４のステップについて、制御装置は、セルラ広域通信網を介して移動交換局からリングバックトーンを受信した際に、移動端末へ、発呼応答を返信することも好ましい。
【００２５】
本発明の再発呼方法における他の実施形態によれば、
第３のステップについて、移動端末が、呼接続開始状態「発呼」である場合、通信相手端末を着呼先として、セルラ広域通信網を介して制御装置へ向けて発呼し、
第４のステップについて、セルラ広域通信網の移動交換局からの着呼を制御装置が受け付け、移動交換局が移動端末へ課金する
ことも好ましい。
【００２６】
本発明の再発呼方法における他の実施形態によれば、
第１のステップについて、制御装置が、呼接続における発呼端末識別子及び着呼端末識別子の組を記憶し、
第４のステップについて、制御装置が、移動交換局からページング要求を受信し、該ページング要求に含まれる着呼端末識別子と一致する着呼端末識別子が記憶されているか否かを判定し、記憶されている場合、ページング応答を移動交換局へ返信し、移動交換局から割当要求を受信し、該割当要求に含まれる発呼端末識別子と、先に判定した着呼端末識別子に対応する既に記憶された発呼端末識別子とが一致するか否かを判定し、記憶されている場合、割当完了を返信することも好ましい。
【００２７】
本発明の再発呼方法における他の実施形態によれば、
制御装置は、ＩＰ広域通信網を経由して局所通信網に接続されるＢＳＣにＳＩＰサーバ機能を備えたゲートウェイ、又は、局所通信網に接続され且つ移動交換局及び位置情報管理装置にＩＰ広域通信網を経由して接続されるＩＰ−ＰＢＸ(Internet Protocol - Private Branch eXchange)若しくはフェムトゲートウェイであり、
セルラ広域通信網は、セルラーシステム又はＷｉＭＡＸシステムであり、
制御装置に対するＩＰ呼制御プロトコルは、ＳＩＰ、又はＩＰパケットにカプセル化されたセルラ広域通信プロトコルである
ことも好ましい。
【００２８】
本発明の再発呼方法における他の実施形態によれば、
移動端末は、発呼動作又は着呼動作をした場合であっても、利用者が操作するユーザインタフェースに対して発呼動作又は着呼動作を表す鳴動を実行しないことも好ましい。
【００２９】
本発明によれば、セルラ広域通信網の移動交換局及び位置情報管理装置と通信する制御装置と通信可能であって、セルラ広域通信網に接続するセルラ広域通信インタフェースと、局所通信網に接続する局所通信インタフェースとを有し、局所通信網からセルラ広域通信網へ切り替える移動端末であって、
局所通信網を介して制御装置を経由して通信相手端末との間で呼接続した際に、当該移動端末自身の呼接続開始状態「発呼」又は「着呼」を記憶する呼接続開始状態記憶手段と、
局所通信網からセルラ広域通信網へ切り替える際に、セルラ広域通信網を介して位置情報管理装置へ位置更新をする位置更新手段と、
局所通信網からセルラ広域通信網へ切り替える際に、呼接続開始状態「着呼」である場合、局所通信網を介して制御装置へ発呼要求を送信し、呼接続開始状態「発呼」である場合、セルラ広域通信網を介して通信相手端末へ向けて発呼する発呼手段と
を有することを特徴とする。
【００３０】
本発明によれば、前述の移動端末と通信可能な制御装置であって、
セルラ通信インタフェース又はＩＰ通信インタフェースから、移動端末からの着呼を受け付ける着呼受付手段と、
着呼受付手段が、ＩＰ通信インタフェースから、移動端末からの着呼を受け付けた場合、セルラ通信インタフェースから、移動交換局を経由してセルラ広域通信網を介して移動端末へ向けて発呼する中継発呼手段と、
通信相手端末との間の呼接続と、セルラ広域通信網を介した移動端末との間の呼接続とを中継する呼接続中継手段と
を有することを特徴とする。
【００３１】
本発明の制御装置における他の実施形態によれば、
呼接続における発呼端末識別子及び着呼端末識別子の組を記憶する識別子記憶手段と、
移動端末から受信した発呼要求に基づく発呼端末識別子及び着呼端末識別子が、予め記憶した発呼端末識別子及び着呼端末識別子の組と一致するか否かを判定する識別子判定手段と、
を更に有し、
（１）着呼受付手段が、ＩＰ通信インタフェースから、移動端末からの着呼を受け付けた場合、
中継発呼手段は、識別子判定手段によって両識別子が一致する場合にのみ、セルラ通信インタフェースから、移動交換局を経由してセルラ広域通信網を介して移動端末へ向けて発呼し、
（２）着呼受付手段が、セルラ通信インタフェースから、移動端末からの着呼を受け付けた場合、
セルラ広域通信網を介して移動交換局から、ページング要求を受信し、該ページング要求に含まれる着呼端末識別子と一致する着呼端末識別子が記憶されているか否かを判定し、識別子が記憶されている場合、ページング応答を、セルラ広域通信網を介して移動交換局へ返信し、セルラ広域通信網を介して移動交換局から、割当要求を受信し、割当要求に含まれる発呼端末識別子と、先に判定した着呼端末識別子に対応する既に記憶された発呼端末識別子とが一致するか否かを判定し、記憶されている場合、割当完了を返信するページング／割当処理手段を更に有する
ことも好ましい。
【００３２】
本発明の制御装置における他の実施形態によれば、
中継発呼手段は、セルラ広域通信網を介して移動交換局からリングバックトーンを受信した際に、移動端末へ、発呼応答を返信することも好ましい。
【００３３】
本発明によれば、セルラ広域通信網の移動交換局及び位置情報管理装置と通信する制御装置と通信可能であって、セルラ広域通信網に接続する通信インタフェースと、局所通信網に接続する通信インタフェースとを有し、局所通信網からセルラ広域通信網へ切り替える移動端末に搭載されたコンピュータを機能させるプログラムであって、
局所通信網を介して制御装置を経由して通信相手端末との間で呼接続した際に、当該移動端末自身の呼接続開始状態「発呼」又は「着呼」を記憶する呼接続開始状態記憶手段と、
局所通信網からセルラ広域通信網へ切り替える際に、セルラ広域通信網を介して位置情報管理装置へ位置更新をする位置更新手段と、
局所通信網からセルラ広域通信網へ切り替える際に、呼接続開始状態「着呼」である場合、局所通信網を介して制御装置へ発呼要求を送信し、呼接続開始状態「発呼」である場合、セルラ広域通信網を介して通信相手端末へ向けて発呼する発呼手段と
してコンピュータを機能させることを特徴とする。
【００３４】
本発明によれば、前述の移動端末と通信可能な制御装置に搭載されたコンピュータを機能させるプログラムであって、
セルラ通信インタフェース又はＩＰ通信インタフェースから、移動端末からの着呼を受け付ける着呼受付手段と、
着呼受付手段が、ＩＰ通信インタフェースから、移動端末からの着呼を受け付けた場合、セルラ通信インタフェースから、移動交換局を経由してセルラ広域通信網を介して移動端末へ向けて発呼する中継発呼手段と、
通信相手端末との間の呼接続と、セルラ広域通信網を介した移動端末との間の呼接続とを中継する呼接続中継手段と
してコンピュータを機能させることを特徴とする。
【発明の効果】
【００３５】
本発明の広域通信網の再発呼方法、制御装置、端末及びプログラムによれば、移動端末が局所通信網から広域通信網へハンドオーバする際に、異なる通信切替シーケンスを用いることによって、移動交換局における発呼側端末の課金対象の入れ替わりを防ぐことができる。
【発明を実施するための最良の形態】
【００３６】
以下では、図面を用いて、本発明を実施するための最良の形態について詳細に説明する。
【００３７】
本発明によれば、着呼側となる移動端末が、局所通信網を介して通話中に、局所通信網からセルラ広域通信網へ切り替える場合を想定している。この場合、局所通信網（ＩＰ広域通信網を介してもよい）に接続される制御装置（ＢＳＣ−ＧＷ）から、通信相手端末を発呼元として移動端末へ再発呼することによって、課金対象について既存システムとの互換性を維持するものである。
【００３８】
図２は、本発明における着呼側の移動端末が移動した場合のシステム構成図である。
【００３９】
本発明によれば、ＢＳＣ−ＧＷ２は、ＳＩＰ（ＩＰ呼制御プロトコル）サーバ機能を有し、移動端末１の端末識別子の位置を管理する。具体的には、Registrar Proxyサーバと、Ｂ２ＢＵＡを含むＳＩＰサーバ／クライアント機能とを有する。
【００４０】
ＢＳＣ−ＧＷ２は、一方を、既存の移動体通信システムの通信交換コアネットワークに接続する。また、他方を、例えばＩＰ広域通信網を介して局所通信網（無線ＬＡＮ）のルータ７１に接続する。そして、ＢＳＣ−ＧＷ２は、通信交換コアネットワークとＩＰネットワークとの間のメッセージ変換機能を備える。尚、移動交換局６２から見ると、ＢＳＣ−ＧＷ２は、通常の基地局制御装置（Ｃ−ＢＳＣ）と同じに見える。また、ルータ７１から見ると、ＢＳＣ−ＧＷ２は、通常のＩＰネットワーク装置（例えばルータ、アプリケーションゲートウェイ又はＳＩＰサーバ）と同じに見える。また、ＢＳＣ−ＧＷ２は、例えばＩＰ広域通信網を介して、多数のルータを収容することができる。
【００４１】
（Ｓ１１）通信相手端末３が、移動端末１へ向けて発呼する。通信相手端末３は、ＢＳＣ−ＧＷ２を経由してＩＰ広域通信網５及び局所通信網７を介して、移動端末１との間で呼接続をする。また、移動端末１自身が、呼接続開始状態「着呼」を記憶する。
【００４２】
（Ｓ１２）その後、移動端末１を所持するユーザが、屋内から屋外へ移動したとする。このとき、セルラ広域通信網４に接続される基地局４１からの電波を検出する。移動端末１は、局所通信網７からセルラ広域通信網４へ切り替える際に、セルラ広域通信網４を介して位置情報管理装置へ位置更新をする。
【００４３】
（Ｓ１３）次に、移動端末１は、呼接続開始状態「着呼」であるので、局所通信網７及びＩＰ広域通信網５を介して、ＢＳＣ−ＧＷ２へ発呼要求を送信する。
【００４４】
（Ｓ１４）ＢＳＣ−ＧＷ２は、移動端末１から発呼要求を受信した際に、自らの移動端末１へ向けて発呼する。このとき、呼の経路は、移動交換局６２を経由して、セルラ広域通信網４を介して移動端末１へ到達する。このとき、呼の発信元は、通信相手端末３とする。これによって、移動交換局６２は、元々の発呼側である通信相手端末３を、課金対象として維持する。
【００４５】
（Ｓ１５）移動端末１が着呼した後、ＢＳＣ−ＧＷ２が、通信相手端末３との間の呼接続と、Ｃ−ＢＳＣ６１を経由してセルラ広域通信網４を介した移動端末１との間の呼接続とを中継する。これにより、ハンドオーバが完了する。
【００４６】
尚、図２によれば、ＢＳＣ−ＧＷ２は、ＩＰ広域通信網５と通信交換コアネットワーク６との間に接続されているが、本発明における制御装置（ＢＳＣ−ＧＷ）の機能を、構内のＩＰ−ＰＢＸに備えるものであってもよい。また、ＩＰ広域通信網として、モバイルＷｉＭＡＸを用いることもできる。更に、局所通信網は、無線に限られず、有線であってもよい。構内では、移動端末を局所通信網に有線で接続した状態で通話しており、その後、有線を取り外し、セルラ広域通信網の無線で通話することもできる。
【００４７】
また、図２によれば、移動端末１が接続する局所通信網は無線ＬＡＮであるが、フェムトセルであってもよい。フェムトセルの場合、移動端末１は、セルラ広域通信インタフェースしか備える必要がない（無線ＬＡＮ通信インタフェースを要しない）。セルラ広域通信網の基地局からの電波が届きにくいエリアも生じるが、フェムトセルによってカバーすることができる。
【００４８】
図３は、本発明における着呼側の移動端末が移動した場合のシーケンス図である。図３は、図２におけるシーケンスを具体的に表したものである。
【００４９】
（Ｓ１１）移動端末１及び通信相手端末３は、ＢＳＣ−ＧＷ２へ、ＳＩＰに基づく位置登録(SIP Registration)をする。その後、通信相手端末３は、移動端末１に対する発呼要求(SIP INVITE)を送信し、その発呼要求は、ＢＳＣ−ＧＷ２に到達する。ＢＳＣ−ＧＷ２は、移動端末１の位置登録がなされているか否かを検索し、登録されている場合、SIP INVITEを移動端末１へ向けて送信する。SIP INVITEを受信した移動端末１は、180 Ringing及び200OKを、ＢＳＣ−ＧＷ２へ返信する。ＢＳＣ−ＧＷ２は、180 Ringing及び200OKを通信相手端末３へ更に返信する。これに対し、通信相手端末３がＢＳＣ−ＧＷ２へACKを送信し、更に、ＢＳＣ−ＧＷ２はACKを移動端末１へ送信する。このとき、本発明によれば、ＢＳＣ−ＧＷ２は、その呼接続における発呼端末識別子（通信相手端末３の識別子）及び着呼端末識別子（移動端末１の識別子）の組を記憶する（ステート管理）。これによって、通信相手端末３と移動端末１との間の呼接続が完了する。尚、ＢＳＣ−ＧＷ２が通信相手端末３からの発呼要求(SIP INVITE)を受信し、移動端末１の位置登録がなされていない場合は、当該発呼要求をセルラの発呼要求メッセージに変換し、移動交換局６２へ送信する。
【００５０】
ここで、移動端末１が送信する登録メッセージ(SIP Registration)の"From"ヘッダには、"user=phone"パラメータが用いられ、SIP URIのユーザ部には、電話番号が指定される。例えば、以下のようになり、この形式は、通信相手端末３も同様である。
移動端末１の電話番号："x0xxxxyyyy"
"From:sip:+81x0xxxxyyyy@bscgw.example.com;user=phone"
【００５１】
また、ＢＳＣ−ＧＷ２は、移動端末１に関して、セルラ広域通信網４で用いられる端末識別子(IMSIやESN)も登録する。このため、移動端末１は、位置登録の際に、これら端末識別子をＢＳＣ−ＧＷ２へ通知する。通信相手端末３も、移動端末であれば、同じく端末識別子を含んだ登録メッセージを送信する。尚、発呼要求(SIP INVITE)から始まる発呼シーケンスは、通常のＳＩＰを用いたセッション開始シーケンスと同様である。
【００５２】
その後、移動端末１を所持するユーザが、屋外へ移動し、セルラ広域通信網４の基地局４１と通信可能になったとする。屋外へ移動したと判定する条件としては、例えば、無線ＬＡＮのアクセスポイントからの電波品質が所定のレベル以下に低下した場合や、セルラ広域通信網の基地局からの電波品質が所定のレベル以上に上昇した場合がある。
【００５３】
（Ｓ１２）移動端末１は、登録メッセージ(Registration Message)を、基地局４１を介してＣ−ＢＳＣ６１へ送信する。Ｃ−ＢＳＣ６１は、位置更新要求(Location Update Request)を、位置情報管理装置へ送信する。位置情報管理装置は、加入者情報データベースＨＬＲ６３に対して、移動端末１の在圏ページングエリアを更新する（この場合、移動端末１の在圏ページングエリアは、ＢＳＣ−ＧＷ２の属するページングエリアからＣ−ＢＳＣ６１の属するページングエリアに更新される。尚、通信相手端末３の在圏ページングエリアは、ＢＳＣ−ＧＷ２の属するページングエリアのままである）。その後、位置情報管理装置は、位置更新応答(Location Update Response)をＣ−ＢＳＣ６１へ返信する。Ｃ−ＢＳＣ６１は、登録受付(Registration Accepted Order)を移動端末１へ返信する。
【００５４】
（Ｓ１３）移動端末１は、呼接続開始状態「着呼」であるので、ＩＰ広域通信網５を介してＢＳＣ−ＧＷ２へ発呼要求(SIP INVITE)を送信する。当該SIP INVITEには、当該移動端末１を発呼元とするSIP URIと、通信相手端末３を着呼先とするSIP URIとを含む。
【００５５】
（Ｓ１４）ＢＳＣ−ＧＷ２は、移動端末１から受信した発呼要求に基づく発呼端末識別子（この場合、移動端末１のSIP URI）及び着呼端末識別子（この場合、通信相手端末３のSIP URI）が、予め記憶した発呼端末識別子及び着呼端末識別子の組と一致するか否かを判定する。ＢＳＣ−ＧＷ２は、両識別子の組が一致する（且つ、ＩＰアドレスも一致を確認してもよい）場合、この「発呼要求」は、「切替要求メッセージ」と判断する。尚、発呼要求のメッセージ自体に、「切替要求メッセージ」であることを特定するヘッダ等を付加するものであってもよい。
【００５６】
ＢＳＣ−ＧＷ２は、切替要求メッセージであると判定すると、CM Service Request（ＣＭサービス要求）を含む、発呼要求としてのComplete L3 Infoメッセージを、移動交換局６２へ送信する。ＣＭサービス要求には、通信相手端末の識別子が、呼の発呼元として含まれる。これに対し、移動交換局６２は、ＢＳＣ−ＧＷ２との間で、割当要求(Assignment Request)等のメッセージを交換する。
【００５７】
次に、移動交換局６２は、ページング要求(Paging Request)を、Ｃ−ＢＳＣ６１へ送信する。Ｃ−ＢＳＣ６１は、セルラ広域通信網４を介して移動端末１へ、ページングメッセージ(Paging Message)を送信する。これに対し、移動端末１は、ページ応答(Page Response)を、Ｃ−ＢＳＣ６１へ返信し、Ｃ−ＢＳＣ６１は、そのページ応答を、更に移動交換局６２へ返信する。これに対し、移動交換局６２は、Ｃ−ＢＳＣ６１との間で、割当要求(Assignment
Request)等のメッセージを交換する。
【００５８】
その後、移動交換局６２は、リングバックトーンをＢＳＣ−ＧＷ２へ送信する。ＢＳＣ−ＧＷ２は、リングバックトーンを受信した際に、移動端末１へ、発呼応答としての200OKを送信し、移動端末１からACKを受信する。
【００５９】
（Ｓ１５）そして、ＢＳＣ−ＧＷ２は、通信相手端末３との間の呼接続と、Ｃ−ＢＳＣ６１を経由してセルラ広域通信網４を介した移動端末１との間の呼接続とを中継する。
【００６０】
図４は、本発明における発呼側の移動端末が移動した場合のシステム構成図である。
【００６１】
（Ｓ２１）移動端末１が、通信相手端末３へ向けて発呼する。移動端末１は、ＩＰ広域通信網５を介してＢＳＣ−ＧＷ２を経由して通信相手端末３との間で呼接続する。また、移動端末１自身が、呼接続開始状態「発呼」を記憶する。
【００６２】
（Ｓ２２）その後、移動端末１を所持するユーザが、屋内から屋外へ移動したとする。このとき、セルラ広域通信網４に接続される基地局４１からの電波を検出する。移動端末１が、局所通信網７からセルラ広域通信網４へ切り替える際に、セルラ広域通信網４を介して位置情報管理装置へ位置更新をする。
【００６３】
（Ｓ２３）移動端末１が、呼接続開始状態「発呼」である場合、セルラ広域通信網４を介して通信相手端末３へ向けて発呼する。この呼は、移動交換局６２を介してＢＳＣ−ＧＷ２へ到達する。
【００６４】
（Ｓ２４）ＢＳＣ−ＧＷ２は、セルラ広域通信網４の移動交換局６２からの着呼を受け付け、移動交換局６２が移動端末１へ課金する。
【００６５】
（Ｓ２５）そして、ＢＳＣ−ＧＷ２は、通信相手端末３との間の呼接続と、Ｃ−ＢＳＣ６１を経由してセルラ広域通信網４を介した移動端末１との間の呼接続とを中継する。これにより、ハンドオーバが完了する。
【００６６】
図５は、本発明における発呼側の移動端末が移動した場合のシーケンス図である。図５は、図４におけるシーケンスを具体的に表したものである。
【００６７】
（Ｓ２１）移動端末１及び通信相手端末３は、ＢＳＣ−ＧＷ２へ、ＳＩＰに基づく位置登録(SIP Registration)をする。その後、移動端末１は、ＢＳＣ−ＧＷ２へ、通信相手端末３に対する発呼要求(SIP INVITE)を送信する。ＢＳＣ−ＧＷ２は、通信相手端末３の位置登録がなされているか否かを検索し、登録されている場合、SIP INVITEを、通信相手端末３へ送信する。当該SIP INVITEを受信した通信相手端末３は、180 Ringing及び200OKを、ＢＳＣ−ＧＷ２へ返信する。ＢＳＣ−ＧＷ２は、180 Ringing及び200OKを移動端末１へ返信する。これに対し、移動端末１がACKをＢＳＣ−ＧＷ２へ送信し、ＢＳＣ−ＧＷ２は、通信相手端末３へACKを送信する。このとき、本発明によれば、ＢＳＣ−ＧＷ２は、その呼接続における発呼端末識別子（移動端末１の識別子）及び着呼端末識別子（通信相手端末３の識別子）の組を記憶する。これによって、通信相手端末３と移動端末１との間の呼接続が完了する。
【００６８】
その後、移動端末１を所持するユーザが、屋外へ移動し、セルラ広域通信網４の基地局４１と通信可能になったとする。
【００６９】
（Ｓ２２）移動端末１は、登録メッセージ(Registration Message)を、基地局４１を介してＣ−ＢＳＣ６１へ送信する。Ｃ−ＢＳＣ６１は、位置更新要求(Location Update Request)を、位置情報管理装置へ送信する。位置情報管理装置は、加入者情報データベースＨＬＲ６３に対して、移動端末１の在圏ページエリアを更新する。その後、位置情報管理装置は、位置更新応答(Location Update Response)をＣ−ＢＳＣ６１へ返信する。Ｃ−ＢＳＣ６１は、登録受付(Registration Accepted Order)を移動端末１へ返信する。
【００７０】
（Ｓ２３）移動端末１は、呼接続開始状態「発呼」であるので、セルラ広域通信網４を介してＣ−ＢＳＣ６１へ発呼メッセージ(Origination Message)を送信する。
【００７１】
（Ｓ２４）Ｃ−ＢＳＣ６１は、ＣＭサービス要求(CM Service Request)を、移動交換局６２へ送信する。そして、Ｃ−ＢＳＣ６１と移動交換局６２との間で、割当要求等のメッセージを交換する。これによって、移動端末１とＣ−ＢＳＣ６１との間で呼接続が完了する。
【００７２】
次に、移動交換局６２は、ページング要求(Paging Request)を、ＢＳＣ−ＧＷ２へ送信する。ＢＳＣ−ＧＷ２は、ページング要求に含まれる着呼端末識別子と一致する着呼端末識別子が記憶されているか否かを判定する。着呼識別子が記憶されている場合、ＢＳＣ−ＧＷ２は、ページ応答(Page Response)を、移動交換局６２へ返信する。これに対し、移動交換局６２は、セルラ広域通信網４を介して、割当要求(Assignment Request)をＢＳＣ−ＧＷ２へ送信する。ＢＳＣ−ＧＷ２は、割当要求に含まれる発呼端末識別子と、先に判定した着呼端末識別子に対応する既に記憶された発呼端末識別子とが一致するか否かを判定する。発呼識別子が記憶されている場合、割当完了を返信する。尚、識別子の不一致が検出された場合、例えば、割り込み通話として通信相手端末に知らせるか、又は、話中として発信元端末に知らせる。そして、最後に、ＢＳＣ−ＧＷ２は、移動交換局６２へ接続要求(Connect)を送信する。尚、ＢＳＣ−ＧＷが、Ｂ２ＢＵＡ(Back-to-back User Agent)として機能するのも好ましい。その場合、ＢＳＣ−ＧＷ２は、Connectメッセージを返信した後、SIP Byeメッセージを移動端末１へ送信し、ＢＳＣ−ＧＷ２と移動端末１との間のセッションを終了する。
【００７３】
（Ｓ２５）そして、ＢＳＣ−ＧＷ２は、通信相手端末３との間の呼接続と、Ｃ−ＢＳＣ６１を経由してセルラ広域通信網４を介した移動端末１との間の呼接続とを中継する。
【００７４】
尚、移動端末１の呼接続開始状態によらず、セッションを切り替える際に、ＢＳＣ−ＧＷ２が、通信相手端末３へビープ音等で当該切り替えを知らせることも好ましい。
【００７５】
図６は、本発明におけるＢＳＣ−ＧＷ及び移動端末の機能構成図である。
【００７６】
図６によれば、移動端末１は、局所通信網に接続するＬＡＮインタフェース１０１と、セルラ広域通信網に接続するＷＡＮインタフェース１０２と、ユーザインタフェース１０３と、呼接続切替部１１１と、呼接続開始状態記憶部１１２と、位置更新部１１３と、発呼部１１４とを有する。通信インタフェース以外のこれら機能構成部は、移動端末に搭載されたコンピュータを機能させるプログラムを実行することによって実現される。
【００７７】
呼接続切替部１１１は、ＬＡＮインタフェース１０１又はＷＡＮインタフェース１０２と、ユーザインタフェース１０３の通話部との間で、呼接続を切り替える。
【００７８】
呼接続開始状態記憶部１１２は、ＬＡＮインタフェース１０１を介してＢＳＣ−ＧＷ２を経由して通信相手端末３との間で呼接続した際に、当該移動端末１自身の呼接続開始状態「発呼」又は「着呼」を記憶する。
【００７９】
位置更新部１１３は、ＬＡＮインタフェース１０１からＷＡＮインタフェース１０２へ呼接続を切り替える際に、ＷＡＮインタフェース１０２を介してセルラ広域通信網４の位置情報管理装置へ位置更新をする。
【００８０】
発呼部１１４は、ＬＡＮインタフェース１０１からＷＡＮインタフェース１０２へ呼接続を切り替える際に、呼接続開始状態「着呼」である場合、ＬＡＮインタフェース１０１を介してＢＳＣ−ＧＷ２へ発呼要求を送信する。また、発呼部１１４は、呼接続開始状態「発呼」である場合、ＷＡＮインタフェース１０２を介してセルラ広域通信網４を経由して、当該移動端末１へ向けて発呼する。
【００８１】
また、図６によれば、ＢＳＣ−ＧＷ２は、セルラ広域通信網に接続するセルラ通信インタフェース２０１と、ＩＰ広域通信網に接続するＩＰ通信インタフェース２０２と、着呼受付部２１１と、中継発呼部２１２と、呼接続中継部２１３と、識別子記憶部２１４と、識別子判定部２１５と、ページング／割当処理部２１６とを有する。通信インタフェース以外のこれら機能構成部は、ＢＳＣ−ＧＷに搭載されたコンピュータを機能させるプログラムを実行することによって実現される。
【００８２】
着呼受付部２１１は、ＩＰ通信インタフェース２０２を介して、移動端末１に対する発呼要求を受信する第１の着呼と、セルラ通信インタフェース２０１を介して移動交換局６２からの着呼を受け付ける第２の着呼とがある。第１の着呼の場合、その旨を、中継発呼部２１２へ通知する。第２の着呼の場合、その旨を、呼接続中継部２１３へ通知する。
【００８３】
識別子記憶部２１４は、呼接続における発呼端末識別子及び着呼端末識別子の組を記憶する。そして、着呼受付部２１１が着呼を受け付けた際に、識別子判定部２１５は、移動端末から受信した発呼要求に基づく発呼端末識別子及び着呼端末識別子が、予め記憶した発呼端末識別子及び着呼端末識別子の組と一致するか否かを判定する。一致した場合にのみ、通信網の切替シーケンスを実行する。
【００８４】
中継発呼部２１２は、着呼受付部２１１がＩＰ通信インタフェース２０２から、移動端末からの着呼を受け付けた場合、セルラ通信インタフェース２０１から、移動交換局６２を経由してセルラ広域通信網４を介して移動端末１へ向けて発呼する。また、識別子判定部２１５によって両識別子が一致する場合にのみ、発呼するものであってもよい。更に、中継発呼部２１２は、セルラ通信インタフェース２０１を介して移動交換局６２からリングバックトーンを受信した際に、移動端末１へ、発呼応答を返信する。
【００８５】
呼接続中継部２１３は、通信相手端末３との間の呼接続と、セルラ通信インタフェース２０１を介した移動端末１との間の呼接続とを中継する。
【００８６】
ページング／割当処理部２１６は、着呼受付部２１１が、セルラ通信インタフェース２０１から、移動端末１からの着呼を受け付けた場合に機能する。セルラ通信インタフェース２０１を介して移動交換局６２から、ページング要求を受信し、そのページング要求に含まれる着呼端末識別子と一致する着呼端末識別子が記憶されているか否かを判定し、識別子が記憶されている場合、ページング応答を、セルラ通信インタフェース２０１を介して移動交換局６２へ返信する。また、セルラ通信インタフェース２０１を介して移動交換局６２から、割当要求を受信し、割当要求に含まれる発呼端末識別子と、先に判定した着呼端末識別子に対応する既に記憶された発呼端末識別子とが一致するか否かを判定し、記憶されている場合、割当完了を返信する。
【００８７】
以上、詳細に説明したように、本発明の広域通信網の再発呼方法、制御装置、端末及びプログラムによれば、移動端末が局所通信網から広域通信網へハンドオーバする際に、異なる通信切替シーケンスを用いることによって、移動交換局における発呼側端末の課金対象の入れ替わりを防ぐことができる。
【００８８】
特に、本発明によれば、以下の４つの要求条件を同時に満たすことができる。
（１）ユーザに安価な内線通話を提供（移動交換局を経由しない）することができる。
（２）広域通信網と局所通信網間のハンドオーバをサポートする。
（３）通信相手には既存のものを使用可能である。
（４）課金対象は、現状のセルラ広域通信網に従う。
これによって、セルラ広域通信網に、局所通信網が接続するネットワーク形態について、内線通話時には移動交換局に負担をかけず、広域通信網と局所通信網間のハンドオーバをサポートし、移動しない固定端末装置は既存のものを使用可能としながら、既存システムと互換性のある課金を実現することができる。
【００８９】
前述した本発明の種々の実施形態において、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【図面の簡単な説明】
【００９０】
【図１】従来技術におけるシステム構成図である。
【図２】本発明における着呼側の移動端末が移動した場合のシステム構成図である。
【図３】本発明における着呼側の移動端末が移動した場合のシーケンス図である。
【図４】本発明における発呼側の移動端末が移動した場合のシステム構成図である。
【図５】本発明における発呼側の移動端末が移動した場合のシーケンス図である。
【図６】本発明におけるＢＳＣ−ＧＷ及び移動端末の機能構成図である。
【符号の説明】
【００９１】
１  移動端末
１０１  ＬＡＮインタフェース
１０２  ＷＡＮインタフェース
１０３  ユーザインタフェース
１１１  呼接続切替部
１１２  呼接続開始状態記憶部
１１３  位置更新部
１１４  発呼部
２  ＢＳＣ−ＧＷ、制御装置
２０１  セルラ通信インタフェース
２０２  ＩＰ通信インタフェース
２１１  着呼受付部
２１２  中継発呼部
２１３  呼接続中継部
２１４  識別子記憶部
２１５  識別子判定部
２１６  ページング／割当処理部
３  通信相手端末
４  セルラ広域通信網
５  ＩＰ広域通信網
６  通信交換コアネットワーク
６１  Ｃ−ＢＳＣ、基地局制御装置
６２  移動交換局（ＭＳＣ）／位置情報管理装置
６３  ＨＬＲ、加入者情報データベース
７  局所通信網、無線／有線ＬＡＮ、Bluetooth
７１  ルータ
７２  アクセスポイント
【図１】
2010041341.tif 000003
【図２】
2010041341.tif 000004
【図３】
2010041341.tif 000005
【図４】
2010041341.tif 000006
【図５】
2010041341.tif 000007
【図６】
2010041341.tif 000008